(57)【要約】【課題】顧客自身が抽選処理を実施可能な商品販売データ処理装置を提供する。【解決手段】商品販売データ処理装置は、１取引にて販売された商品の合計金額が算出されると、抽選条件である基準額に対応して所定の特典情報が設定されている抽選条件設定手段を参照して、合計金額が基準額のいずれかの抽選条件を満たしているかを判定する。基準額のいずれかの抽選条件を満たすと判定されると客面表示部の抽選画面に抽選の開始情報を表示する。表示された開始情報が顧客により指定されると抽選が開始されるとともに、抽選画面に停止情報を表示する。表示された停止情報が顧客により指定されると抽選画面に抽選結果を表示する。表示された抽選結果がアタリの場合に、基準額に対応する所定の特典情報によって特典処理を実行するとともに、この特典情報に基にしてレシートを印字し発行する。【選択図】      図４Ｂ
2017130063.tif 000002
【特許請求の範囲】
【請求項１】
客によって操作可能な抽選画面を表示する客面表示部と、
基準額を基にした抽選条件に対応して所定の特典情報を設定する抽選条件設定手段と、
１取引において販売された商品の合計金額を算出する合計金額算出手段と、
前記合計金額が前記抽選条件設定手段に設定されている前記基準額を基にした抽選条件を満たしているか否かを判定する判定手段と、
前記抽選条件を満たすと判定されると、前記客面表示部の抽選画面に抽選の開始情報を表示させる開始情報表示手段と、
前記客面表示部に対する前記開始情報の操作により抽選を開始する抽選開始手段と、
前記抽選が開始されると前記抽選画面に前記抽選の停止情報を表示させる停止情報表示手段と、
前記客面表示部に対する前記停止情報の操作により抽選結果を決定する結果決定手段と、
前記抽選結果がアタリの場合に、前記基準額に対応する前記所定の特典情報を基に特典処理を実行する特典処理手段と、
前記特典情報を基にしてレシートを印字し発行するレシート発行手段と、
を備えたことを特徴とする商品販売データ処理装置。
【請求項２】
前記抽選結果がアタリの場合に、前記特典情報を表すメッセージを前記客面表示部の前記抽選画面に表示させる結果表示手段、
をさらに備えることを特徴とする請求項１に記載の商品販売データ処理装置。
【請求項３】
前記結果表示手段は、前記メッセージとして、合計金額の割引、合計金額の値引き、景品提供のうちいずれか一つを表示することを特徴とする請求項２に記載の商品販売データ処理装置。
【請求項４】
客によって操作可能な抽選画面を表示する客面表示部を備え、商品販売データを処理する商品販売データ処理装置を、
基準額を基にした抽選条件に対応して所定の特典情報を設定する抽選条件設定手段と、
１取引において販売された商品の合計金額を算出する合計金額算出手段と、
前記合計金額が前記抽選条件設定手段に設定されている前記基準額を基にした抽選条件を満たしているか否かを判定する判定手段と、
前記抽選条件を満たすと判定されると、前記客面表示部の抽選画面に抽選の開始情報を表示させる開始情報表示手段と、
前記客面表示部に対する前記開始情報の操作により抽選を開始する抽選開始手段と、
前記抽選が開始されると前記抽選画面に前記抽選の停止情報を表示させる停止情報表示手段と、
前記客面表示部に対する前記停止情報の操作により抽選結果を決定する結果決定手段と、
前記抽選結果がアタリの場合に、前記基準額に対応する前記所定の特典情報を基に特典処理を実行する特典処理手段と、
前記特典情報を基にしてレシートを印字し発行するレシート発行手段と、
して機能させるための商品販売データ処理装置の制御プログラム。
【発明の詳細な説明】
【技術分野】
【０００１】
本発明の実施形態は、ＰＯＳ（Point Of Sales）端末などの商品販売データ処理装置およびその制御プログラムに関する。
【背景技術】
【０００２】
商品を販売又はサービスを提供する店舗では集客力を向上させるために抽選などが実施されている。  
ＰＯＳ端末などで決済処理時に商品売上の合計金額が予め定められた基準額に達した場合に、抽選が行われる商品販売データ処理装置が提案されている。
【先行技術文献】
【特許文献】
【０００３】
【特許文献１】特開２００５−５６３３０号公報
【発明の概要】
【発明が解決しようとする課題】
【０００４】
しかしながら、提案されている商品販売データ処理装置の抽選処理では、娯楽性が少なく販売促進の効果を見込むことができない。
【０００５】
本発明が解決しようとする課題は、顧客自身が抽選に参加可能でイベント性の高いサービスを提供することが可能な商品販売データ処理装置およびその制御プログラムを提供しようとするものである。
【課題を解決するための手段】
【０００６】
一実施形態に係る商品販売データ処理装置は、客面表示部と、抽選条件設定手段と、合計金額算出手段と、判定手段と、開始情報表示手段と、抽選開始手段と、停止情報表示手段と、結果決定手段と、特典処理手段と、レシート発行手段とを備える。客面表示部は、客によって操作可能な抽選画面を表示する。抽選条件設定手段は、基準額を基にした抽選条件に対応して所定の特典情報を設定する。合計金額算出手段は、１取引において販売された商品の合計金額を算出する。判定手段は、前記合計金額が前記抽選条件設定手段に設定されている前記基準額を基にした抽選条件を満たしているか否かを判定する。開始情報表示手段は、前記抽選条件を満たすと判定されると、前記客面表示部の抽選画面に抽選の開始情報を表示させる。抽選開始手段は、前記客面表示部に対する前記開始情報の操作により抽選を開始する。停止情報表示手段は、前記抽選が開始されると前記抽選画面に前記抽選の停止情報を表示させる。結果決定手段は、前記客面表示部に対する前記停止情報の操作により抽選結果を決定する。特典処理手段は、前記抽選結果がアタリの場合に、前記基準額に対応する前記所定の特典情報を基に特典処理を実行する。レシート発行手段は、
前記特典情報を基にしてレシートを印字し発行する。
【図面の簡単な説明】
【０００７】
【図１】一実施形態におけるＰＯＳ端末の要部構成を示すブロック図。
【図２】同実施形態における抽選条件設定テーブルのデータ構造の一例を示す模式図。
【図３】同実施形態において抽選結果がアタリの場合に発行する特典情報付の割引レシートの一例を示す図。
【図４Ａ】同実施形態におけるＰＯＳ端末のＣＰＵが実行する商品販売データ処理の主要な処理手順を示すフローチャート。
【図４Ｂ】同実施形態におけるＰＯＳ端末のＣＰＵが実行する商品販売データ処理の主要な処理手順を示すフローチャート。
【図５】同実施形態におけるＰＯＳ端末のＣＰＵが実行する抽選処理の主要な処理手順を示すフローチャート。
【図６】同実施形態におけるＰＯＳ端末の客面表示部の抽選画面の一表示例を示す図。
【図７】同実施形態におけるＰＯＳ端末の客面表示部の抽選画面の一表示例を示す図。
【図８】同実施形態におけるＰＯＳ端末の客面表示部の抽選画面の一表示例を示す図。
【図９】同実施形態におけるＰＯＳ端末の客面表示部の抽選画面の一表示例を示す図。
【発明を実施するための形態】
【０００８】
以下、一実施形態について図面を参照して説明する。  
図１はＰＯＳ端末１１の要部構成を示すブロック図である。図示するように、ＰＯＳ端末１１は、主制御部としてのＣＰＵ（Central Processing Unit）２１、このＣＰＵ２１によって制御される主記憶部としてのＲＯＭ（Read Only Memory）２２及びＲＡＭ（Random Access Memory）２３を搭載している。またＰＯＳ端末１１は、補助記憶部２４、時計部２５、通信インタフェース（Ｉ／Ｆ）２６、Ｉ／Ｏポート（Input／Output）２７、キーボードコントローラ２８、スキャナコントローラ２９、表示コントローラ３０、表示コントローラ３１、プリンタコントローラ３２および音声コントローラ３３などの各部を搭載している。そしてＰＯＳ端末１１は、ＣＰＵ２１に、ＲＯＭ２２及びＲＡＭ２３と各部とをアドレスバス、データバス等のバスライン３５により接続している。
【０００９】
さらにＰＯＳ端末１１は、Ｉ／Ｏポート２７に、モードスイッチ３６と、ドロワ開放部３７とを接続し、キーボードコントローラ２８にキーボード３８を接続し、スキャナコントローラ２９にスキャナ３９を接続し、表示コントローラ３０に前面表示部４０を接続し、表示コントローラ３１に客面表示部４１を接続し、プリンタコントローラ３２にプリンタ４２を接続し、音声コントローラ３３に音声出力部４３を接続している。
【００１０】
ＣＰＵ２１はＲＯＭ２２、ＲＡＭ２３および補助記憶部２４等に格納されたオペレーティングシステム（operating System）、管理プログラムおよび制御プログラム等に基づいて、ＰＯＳ端末１１としての各種の動作を実現するべく各部を制御する。
【００１１】
ＲＯＭ２２は、ＣＰＵ２１に実行させるためのコンピュータプログラムや制御プログラム等の固定データを予め格納する。  
ＲＡＭ２３は、ＰＯＳ端末１１のメインメモリとして機能するものであり、ＣＰＵ２１が各種の処理を行う上で参照するデータを格納する。さらにＲＡＭ２３はＣＰＵ２１が各種の処理を行う上で一時的に使用するデータを記憶する。いわゆるワークエリアとして利用される。
【００１２】
補助記憶部２４は、たとえば、ハードディスクドライブ（ＨＤＤ）やＳＳＤ（Solid State Drive）等である。  
補助記憶部２４は、ＣＰＵ２１が各部を制御する上で使用するデータや、ＣＰＵ２１での処理によって生成されたデータ等をセーブする。  
また補助記憶部２４に記憶されるデータには、抽選条件設定テーブル（抽選条件設定手段を構成する）５１および商品マスタを含む。商品マスタは、ＰＯＳ端末１１が使用される店舗で販売または提供される商品またはサービスについての情報が記述されている。
【００１３】
図２は、抽選条件設定テーブル５１のメモリマップである。図２に示すように、抽選条件部５２、抽選結果部５３、特典情報部５４、前面表示メッセージ部５５、客面表示メッセージ部５６を備える。
【００１４】
抽選条件部５２は、抽選の実施の対象とするための抽選条件として基準額の情報を記憶する。図２の例では、基準額Ａは例えば２，０００円で割引の特典の抽選を実施することが可能である。基準額Ｂは、例えば１，０００円で値引きの特典の抽選を実施することが可能である。基準額Ｃは、例えば３００円で景品の特典の抽選を実施することが可能である。
【００１５】
抽選結果部５３は、例えば、スロットマシンゲームの場合には、スロットマシンの出目が「１１１」〜「７７７」のゾロ目であれば「アタリ」、それ以外は「ハズレ」とする。  
特典情報部５４は、店舗が提供する特典情報の種類を記憶する。図２の例では、基準額Ａは、割引の特典、基準額Ｂは、値引きの特典、基準額Ｃは、景品の特典である。  
前面表示メッセージ部５５は、各種特典を提供する際に店員用の前面表示部４０に表示するメッセージの情報を記憶する。具体的には、基準額Ａの割引を実行する特典に対して「１０％割引してください」のメッセージを記憶する。基準額Ｂの値引きを実行する特典に対して「１００円値引きしてください」のメッセージを記憶する。基準額Ｃの景品を提供する特典に対して「景品を渡してください」のメッセージを記憶する。  
客面表示メッセージ部５６は、各種特典を顧客に提供する際に客面表示部４１に表示するメッセージの情報を記憶する。具体的には、基準額Ａの割引を実行する特典に対して「１０％割引します」のメッセージを記憶する。基準額Ｂの値引きを実行する特典に対して「１００円値引きします」のメッセージを記憶する。基準額Ｃの景品を提供する特典に対して「景品をお渡しします」のメッセージを記憶する。
【００１６】
ＰＯＳ端末１１の起動時、補助記憶部２４に格納されたデータの全部または一部がＲＡＭ２３にコピーされる。そのＲＡＭ２３にコピーされた複数のデータに従ってＣＰＵ２１は、複数の処理を実行する。
【００１７】
Ｉ／Ｏポート２７は、モードスイッチ３６のモード信号を入力する。モードスイッチ３６は、「登録」、「点検」、「精算」等の各種業務モードの中から選択操作された業務モードの実行をＣＰＵ２１に指令する操作スイッチである。  
また、Ｉ／Ｏポート２７は、図示しないドロワを自動開放させるドロワ開放部３７に開放駆動信号を出力する。ドロワ開放部３７は、開放駆動信号の入力により自動的にドロワの開放動作をする。
【００１８】
キーボードコントローラ２８は、キーボード３８にて操作されたキーに対応するキー信号を取り込みＣＰＵ２１に出力する。  
キーボード３８には、「００」、「０」〜「９」の置数キーの他、ＰＬＵ（Price Look Up）キー、部門キー、×キー、割引キー、クリアキー、小計キー、預／現計キー、クレジットキー等の各種ファンクションキーを配設している。
【００１９】
ＰＬＵキーは、置数データが商品コードであることを指令するキーである。小計キーは、顧客との１取引として登録された合計出力を指示するキーである。預／現計キーおよびクレジットキーは、顧客との１取引の締めを宣言する締めキーであり、預／現計キーは、現金取引の締めキーであり、クレジットキーは、クレジット取引の締めキーである。  
なお、商品コードは、キーボード３８の置数キーとＰＬＵキーにより入力することも可能であり、ＰＬＵキーおよび置数キーは、商品コード入力手段を構成する。
【００２０】
スキャナコントローラ２９は、スキャナ３９にてスキャニングされたバーコードデータを取り込みＣＰＵ２１に出力する。スキャナコントローラ２９とスキャナ３９は、商品コード入力手段を構成する。
【００２１】
表示コントローラ３０は、ＣＰＵ２１からの指令により前面表示部４０に各種の画面を選択的に表示させる。  
表示コントローラ３１は、ＣＰＵ２１からの指令により客面表示部４１に客に対する各種の情報に対応した文字・画像などを表示させる。客面表示部４１は、タッチパネル機能を有し、抽選処理において抽選画面（図６〜９参照）を表示させる。
【００２２】
プリンタコントローラ３２は、ＣＰＵ２１からの指令によりプリンタ４２を制御する。  
プリンタ４２は、たとえば、サーマルプリンタなどであり、ＲＡＭ２３のワークエリアに格納されたレシート印字データに基づいて特典情報付の割引レシート１００（図３参照）や値引きレシート等の印字を行う。
【００２３】
音声コントローラ３３は、ＣＰＵ２１からの指令により音声出力部４３から音声を出力する。たとえば、音声出力部４３から顧客に対して「１０％の割引をいたします」のメッセージを音声出力する。
【００２４】
次に、ＰＯＳ端末１１による商品販売データ処理について説明する。  
図４Ａ，図４ＢはＣＰＵ２１が実行する商品販売データ処理の主要なステップを示すフローチャートである。この処理は、ＲＯＭ２２に記憶された制御プログラムに基づいて実行される。
【００２５】
先ずＣＰＵ２１は、商品登録が行われるのを待機する（ステップＳＴ１１）。そして、キーボード３８またはスキャナ３９の商品コード入力手段により商品コードがＲＡＭ２３のワークエリアに登録されると（ステップＳＴ１１のＹＥＳ）、ＣＰＵ２１は、商品登録有と判定する。そして、商品登録処理に進む（ステップＳＴ１２）。
【００２６】
ステップＳＴ１２おいてＣＰＵ２１は、商品登録処理を実行する。すなわちＣＰＵ２１は、ステップＳＴ１１において登録された商品コードで補助記憶部２４の商品マスタにプリセットされている商品名、単価等の商品データを読み込む。さらに、単価に販売点数を乗算して販売金額を算出したならば、商品コードに対応した商品名、単価、販売点数及び販売金額などからなる商品販売データを生成し、ＲＡＭ２３のワークエリアに記憶する。
【００２７】
ＣＰＵ２１は、小計キーが操作されているか否かを判定する（ステップＳＴ１３）。小計キーが操作されていないと（ステップＳＴ１３のＮＯ）、ステップＳＴ１１に戻って次の商品登録を行う。
【００２８】
一方、ＣＰＵ２１は、小計キーが操作されると（ステップＳＴ１３のＹＥＳ）、ＣＰＵ２１は、ステップＳＴ１４として１取引分の合計金額を算出する（合計金額算出手段）。そして、合計金額を前面表示部４０と客面表示部４１に表示させるとともに、ＲＡＭ２３のワークエリアに合計金額を記憶する。
【００２９】
次に、ＣＰＵ２１は、抽選条件設定テーブル５１を読み込む（ステップＳＴ１５）。  
ＣＰＵ２１は、当該合計金額と抽選条件設定テーブル５１の抽選条件としての基準額Ａとを比較し、合計金額が基準額Ａ以上であるか否かを判定する（ステップＳＴ１６：判定手段）。ＣＰＵ２１は、合計金額が基準額Ａ以上で抽選可能であると判定すると（ステップＳＴ１６のＹＥＳ）、ＣＰＵ２１は、抽選処理を実行する（ステップＳＴ１７）。
【００３０】
この実施形態での抽選処理は、周知のスロットマシンゲームで行う。たとえば、抽選結果としてはスロットマシンの出目が「１１１」〜「７７７」のゾロ目であれば「アタリ」、それ以外は「ハズレ」とする。
【００３１】
図５は、ＣＰＵ２１が実行する抽選処理の主要なステップを示すフローチャートである。
【００３２】
この抽選処理は、まず、図６に示すように、ＣＰＵ２１は、客面表示部４１の抽選画面にスロットマシンの画像としてリール部とスタートボタンとを表示させる（ステップＳＴ１０１：開始情報表示手段）。
【００３３】
ＣＰＵ２１は、この抽選画面のスタートボタンが操作されるのを待機する（ステップＳＴ１０２）。顧客自身によりスタートボタンがタッチ操作されると（ステップＳＴ１０２のＹＥＳ）、ＣＰＵ２１は、スロットマシンの複数のリール部を駆動させて抽選を開始する（ステップＳＴ１０３：抽選開始手段）。
【００３４】
ＣＰＵ２１は、抽選が開始されると、客面表示部４１の抽選画面に、図７に示すように、駆動中の複数のリール部とストップボタンが表示される。そしてＣＰＵ２１は、ストップボタンが操作されるのを待機する（ステップＳＴ１０４：停止情報表示手段）。顧客自身によって客面表示部４１の抽選画面のストップボタンがタッチ操作されると（ステップＳＴ１０４のＹＥＳ）、ＣＰＵ２１は、ステップＳＴ１８として抽選結果を決定する（結果決定手段）。
【００３５】
抽選結果の判定において、客面表示部４１の抽選画面のスロットマシンの出目が、たとえばゾロ目の「７７７」の「アタリ」の場合には（ステップＳＴ１８のＹＥＳ）、ＣＰＵ２１は、図８に示すように、客面表示部４１の抽選画面に「アタリ」、「７７７」と客面表示メッセージ部５６から読み出された「１０％割引します」という顧客メッセージを表示させる（結果表示手段）。同時に、前面表示部４０に前面表示メッセージ部５５から読み出された「１０％割引してください」という店員メッセージを表示させる（ステップＳＴ１９）。
【００３６】
次いでＣＰＵ２１は、ステップＳＴ２０として割引処理を実行する（特典処理手段）。この処理は、合計金額にステップＳＴ１９の処理にて得られた割引率（例えば１０％）を乗じ、その結果の割引金額を算出するとともに、合計金額から割引金額を減算する。そして、割引金額とともに割引された合計金額をワークエリアに記憶する。
【００３７】
締めキーが操作され１取引の登録締めが宣言されると（ステップＳＴ２１）、ＣＰＵ２１は、決済処理を実行する（ステップＳＴ２２）。この処理は、現金決済の場合に、顧客からの預かり金額から当該取引の合計金額を減算することで釣銭額を算出し、この釣銭額を前面表示部４０および客面表示部４１に表示させるとともに、ＲＡＭ２３のワークエリアに記憶する。その後、ＣＰＵ２１は、通常レシートに特典情報の割引情報を作成処理した印字情報に基づいて特典情報付の割引レシート（図３参照）をプリンタ４２により印字し発行する（ステップＳＴ２３：レシート発行手段）。
【００３８】
一方、抽選結果が「ハズレ」の場合には（ステップＳＴ１８のＮＯ）、ＣＰＵ２１は、客面表示部４１に、図９に示すように決定した抽選結果の出目たとえば、「６７５」と「ハズレ」を表示させる（ステップＳＴ２４）。その後、ステップＳＴ２５およびステップＳＴ２６としてステップＳＴ２１及びステップＳＴ２２と同様の登録締め宣言および決済処理を実行後、ＣＰＵ２１は、通常のレシートをプリンタ４２により印字し発行する（ステップＳＴ２７）。
【００３９】
ステップＳＴ１６において、合計金額が基準額Ａ以上でないと判定されると（ステップＳＴ１６のＮＯ）、ＣＰＵ２１は、合計金額と抽選条件設定テーブル５１の抽選条件としての基準額Ｂとを比較し、合計金額が基準額Ｂ以上であるか否かを判定する（ステップＳＴ２８：判定手段）。
【００４０】
ＣＰＵ２１は、合計金額が基準額Ｂ以上で抽選可能であると判定すると（ステップＳＴ２８のＹＥＳ）、抽選処理を実行する（ステップＳＴ１７）。この抽選処理は、前述と同様に図５のステップＳＴ１０１〜ステップＳＴ１０４の処理を実行する。
【００４１】
ＣＰＵ２１は、抽選の結果の出目を表示して抽選結果を判定する（ステップＳＴ２９：結果決定手段）。抽選結果の判定において、客面表示部４１の抽選画面のスロットマシンの出目が、たとえばゾロ目の「７７７」の「アタリ」の場合には（ステップＳＴ２９のＹＥＳ）、ＣＰＵ２１は、客面表示部４１の抽選画面に「アタリ」、「７７７」と客面表示メッセージ部５６から読み出された「１００円値引きします」という顧客メッセージを表示させる（結果表示手段）。同時にＣＰＵ２１は、前面表示部４０に前面表示メッセージ部５５から読み出された「１００円値引きしてください」というメッセージを表示させる（ステップＳＴ３０）。
【００４２】
次いでＣＰＵ２１は、値引き処理を実行する（ステップＳＴ３１：特典処理手段）。この処理は、合計金額にステップＳＴ３０の処理にて得られた値引き金額（例えば、１００円）を減算し、その結果の値引き後の合計金額と値引き金額をＲＡＭ２３のワークエリアに記憶する。
【００４３】
締めキーが操作され１取引の登録締めが宣言されると（ステップＳＴ３２）、ＣＰＵ２１は、決済処理を実行する（ステップＳＴ３３）。この処理は、現金決済の場合に、顧客からの預かり金額から当該取引の値引き後の合計金額を減算することで釣銭額を算出し、この釣銭額を前面表示部４０および客面表示部４１に表示させるとともに、ＲＡＭ２３のワークエリアに記憶する。その後、ＣＰＵ２１は、通常レシートに特典情報の値引き情報を作成処理した印字情報基づいて特典情報付の値引きレシートをプリンタ４２により印字し発行する（ステップＳＴ３４：レシート発行手段）。
【００４４】
一方、抽選結果が「ハズレ」の場合には（ステップＳＴ２９のＮＯ）、客面表示部４１に、図９に示すように決定した抽選結果の出目たとえば、「６７５」と「ハズレ」を表示させる（ステップＳＴ３５）。その後、ステップＳＴ３６およびステップＳＴ３７としてステップＳＴ３２及びステップＳＴ３３と同様の登録締め宣言および決済処理の処理を実行後、ＣＰＵ２１は、通常のレシートをプリンタ４２により印字し発行する（ステップＳＴ２７）。
【００４５】
ステップＳＴ２８において、合計金額が基準額Ｂ以上でないと判定されると（ステップＳＴ２８のＮＯ）、ＣＰＵ２１は、合計金額と抽選条件設定テーブル５１の抽選条件としての基準額Ｃとを比較し、合計金額が基準額Ｃ以上であるか否かを判定する（ステップＳＴ３８：判定手段）。
【００４６】
ＣＰＵ２１は、合計金額が基準額Ｃ以上で抽選可能であると判定すると（ステップＳＴ３８のＹＥＳ）、抽選処理を実行する（ステップＳＴ１７）。この抽選処理は、前述と同様に図５のステップＳＴ１０１〜ステップＳＴ１０４の処理を実行する。
【００４７】
ＣＰＵ２１は、抽選の結果の出目を表示して抽選結果を決定する（ステップＳＴ３９：結果決定手段）。
【００４８】
抽選結果の判定において、客面表示部４１の抽選画面のスロットマシンの出目がたとえばゾロ目の「７７７」の「アタリ」の場合には（ステップＳＴ３９のＹＥＳ）、ＣＰＵ２１は、客面表示部４１の抽選画面に「アタリ」、「７７７」と客面表示メッセージ部５６から読み出された、「景品をお渡しします」の顧客メッセージを表示する（結果表示手段）。同時にＣＰＵ２１は、前面表示部４０に前面表示メッセージ部５５から読み出された「景品をお渡しください」という店員メッセージを表示させる（ステップＳＴ４０）。
【００４９】
ＣＰＵ２１は、景品処理を実行する（ステップＳＴ４１：特典処理手段）。この処理は、景品情報をＲＡＭ２３のワークエリアに記憶する。
【００５０】
締めキーが操作され１取引の登録締めが宣言されると（ステップＳＴ４２）、ＣＰＵ２１は、決済処理を実行する（ステップＳＴ４３）。この処理は、現金決済の場合に、顧客からの預かり金額から当該取引の合計金額を減算することで釣銭額を算出し、この釣銭額を前面表示部４０および客面表示部４１に表示させるとともに、ＲＡＭ２３のワークエリアに記憶する。その後、ＣＰＵ２１は、通常レシートに特典情報の景品情報を作成処理した印字情報に基づいて特典情報付の景品レシートをプリンタ４２により印字し発行する（ステップＳＴ４４：レシート発行手段）。このとき店員は景品とともに、レシートを顧客に渡す。
【００５１】
一方、抽選結果が「ハズレ」の場合には（ステップＳＴ３９のＮＯ）、客面表示部４１に、図９に示すように決定した抽選結果の出目、たとえば「６７５」と「ハズレ」を表示させる（ステップＳＴ３５）。その後、ステップＳＴ３６およびステップＳＴ３７としてステップＳＴ３２及びステップＳＴ３３と同様の登録締め宣言および決済処理を実行後、ＣＰＵ２１は、通常のレシートをプリンタ４２により印字し発行する（ステップＳＴ２７）。
【００５２】
ステップＳＴ３８において、ＣＰＵ２１は、合計金額が基準額Ｃ未満であると判定すると（ステップＳＴ３４のＮＯ）、抽選が不可なので、ＣＰＵ２１は、前面表示部４０および客面表示部４１に抽選不可を表示させる（ステップＳＴ４５）。その後、ステップＳＴ４６およびステップＳＴ４７としてステップＳＴ３２及びステップＳＴ３３と同様の登録締め宣言および決済処理を実行後、ＣＰＵ２１は、通常レシートをプリンタ４２により印字し発行する（ステップＳＴ２７）。  
以上で、ＣＰＵ２１は、顧客に対する１取引の商品販売データ処理を終了する。
【００５３】
本実施態様のＰＯＳ端末１１によれば、顧客自身が抽選を実行するため顧客の来店意欲が増すとともに、購買意欲を刺激して高い販売促進効果を得ることができる。  
本実施態様のＰＯＳ端末１１では、スロットマシンゲームによる抽選処理は、スロットマシンの出目が「１１１」〜「７７７」のアタリの場合に、基準額Ａの特典について割引率を１０％にしているが、例えば「７７７」は１０％割引、「６６６」は９％割引、「５５５」は８％割引、「１１１」は４％割引というように段階的な特典にしてもよい。  
また、基準額Ｂの特典について値引きを１００円に設定しているが、例えば「７７７」は１００円値引き、「６６６」は９０円値引き、「５５５」は８０円値引き、「１１１」は４０円値引きというように段階的な特典にしてもよい。  
また、基準額Ｃの特典について景品を１種類に設定しているが、例えば「７７７」は景品１を提供、「６６６」は景品２を提供、「１１１」は景品７を提供するというように景品を異ならせてもよい。
【００５４】
また、特典情報として、金品との引き換え券、割引券、クーポン券等であってもよい。また、この他のものであってもよい。
【００５５】
なお、本発明の前記実施形態そのままに限定されるものではなく、実施段階においては、その要旨を逸脱しない範囲内にて複数の構成要素を適宜変形して具体化することができる。
【００５６】
たとえば前記実施形態においては、前記抽選条件設定テーブル５１および前記商品マスタは、補助記憶部２４に格納するのでなく、ストアコントローラやサーバの記憶部に格納するようにしてもよい。
【００５７】
また、客面メッセージ部５６の特典情報のメッセージとして、たとえば「１０％を割引します」を音声出力部４３から音声出力するようにしてもよい。
【００５８】
以上、本発明の実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、構成要素の種々の変更、置換および削除を行うことができる。これら実施形態やその変形は、発明の範囲や要旨に含まれるとともに、特許請求の範囲に記載された発明とその均等の範囲に含まれる。
【符号の説明】
【００５９】
１１…ＰＯＳ端末、２１…ＣＰＵ、２２…ＲＯＭ、２３…ＲＡＭ、２４…補助記憶部、３９…スキャナ、４０…前面表示部、４１…客面表示部、４２…プリンタ、４３…音声出力部、５１…抽選条件設定テーブル（抽選条件設定手段）、５２…抽選条件部、５３…、抽選結果部、５４…特典情報部、５５…前面表示メッセージ部、５６…客面表示メッセージ部、１００…割引レシート。
【図１】
2017130063.tif 000003
【図２】
2017130063.tif 000004
【図３】
2017130063.tif 000005
【図４Ａ】
2017130063.tif 000006
【図４Ｂ】
2017130063.tif 000007
【図５】
2017130063.tif 000008
【図６】
2017130063.tif 000009
【図７】
2017130063.tif 000010
【図８】
2017130063.tif 000011
【図９】
2017130063.tif 000012